(57)【特許請求の範囲】
【請求項１】
脆質材料層と、
この脆質材料層を被貼付け体に貼り付け可能とする粘着剤層と、を有するプリンター
用脆質ラベルであって、
前記脆質材料層の上層側に積層する接着剤層と、
この接着剤層の上層側に積層する印字可能層と、を有するとともに、
前記脆質材料層および前記粘着剤層には、カットを形成していることを特徴とするプ
リンター用脆質ラベル。
【請求項２】
前記カットは、下層側貼り替え防止用カットであることを特徴とする請求項１記載のプリ
ンター用脆質ラベル。
【請求項３】
前記印字可能層および前記接着剤層には、上層側貼り替え防止用カットを形成しているこ
とを特徴とする請求項１または２記載のプリンター用脆質ラベル。
【請求項４】
前記下層側貼り替え防止用カットは、前記脆質材料層および前記粘着剤層の周縁部以外に
これを形成していることを特徴とする請求項２記載のプリンター用脆質ラベル。
【請求項５】
前記下層側貼り替え防止用カットは、前記脆質材料層および前記粘着剤層の周縁部にこれ
を形成していることを特徴とする請求項２記載のプリンター用脆質ラベル。
【請求項６】
前記上層側貼り替え防止用カットは、前記印字可能層および前記接着剤層の周縁部にこれ
を形成していることを特徴とする請求項３記載のプリンター用脆質
ラベル。
【請求項７】
前記接着剤層の接着力は、前記粘着剤層の粘着力よりこれを大きくしてあることを特徴と
する請求項１ないし６のいずれかに記載のプリンター用脆質ラベル。
【請求項８】
前記印字可能層は、感熱発色剤層を有することを特徴とする請求項１ないし７のいずれか
に記載のプリンター用脆質ラベル。
【請求項９】
脆質材料層と、
この脆質材料層を被貼付け体に貼り付け可能とする粘着剤層と、を有するプリンター
用脆質ラベルであって、
前記脆質材料層の上層側に積層する接着剤層と、
この接着剤層の上層側に積層する印字可能層と、を有するとともに、
前記脆質材料層と前記接着剤層との間の一部の領域に接着剤不活性化層を積層し、
前記接着剤不活性化層の周縁部における前記脆質材料層および前記粘着剤層に不活性化層
周縁部カットを形成していることを特徴とするプリンター用脆質ラベル。
【発明の詳細な説明】
【技術分野】
【０００１】
本発明はプリンター用脆質ラベルにかかるもので、とくに貼り替え防止機能ないしセキュリティ保全機能を有するプリンター用脆質ラベルに関するものである。
【背景技術】
【０００２】
従来から、値札ラベルの不正貼り替えを防止用、あるいは各種の開封検知用や認証用のラベルとして、各種のラベルが開発されている。
たとえば図１４は、従来の不正貼り替え防止用ラベル１の平面図、図１５は、図１４のＸＶ−ＸＶ線断面図であって、不正貼り替え防止用ラベル１は、ラベル本体２（上質紙や合成紙その他のラベル基材）と、粘着剤層３と、を有し、図示の例のように任意の形状を有する複数本の不正貼り替え防止用カット４を任意の部位に形成してあり、被貼付け体Ｍにこれを貼り付け可能としている。
しかしながら、不正貼り替え防止用ラベル１は、カット４の長さが短かったり、その数が少ないとその不正貼り替え防止機能が低下してしまう一方、カット４を長く、複雑に、あるいは多く形成すれば不正貼り替えは困難となるが、不正貼り替え防止用ラベル１としての外観を大きく損ねるとともに、カット４の部分における印字性が低下してトラブルになる可能性が高いという問題がある。
【０００３】
図１６は、従来の貼り替え防止用の脆質ラベル５の平面図、図１７は、図１６のＸＶＩＩ−ＸＶＩＩ線断面図であって、脆質ラベル５のラベル本体６（塩化ビニルその他の脆質材料による層）は、これをごく薄く（たとえば厚さ５０μｍ程度）形成してあり、このラベル本体６を被貼付け体Ｍからはがそうとするとラベル本体６自体が容易に破壊ないし破損してしまうものである。
しかしながら、脆質ラベル５は、ラベル本体６自体が有する脆い材料特性から、これをはがそうとすると容易に破壊されてしまうため不正貼り替えを防止する効果は高いものの、その脆さゆえに各種のプリンターに装填して移送し、印字することが困難であるという問題がある。
【先行技術文献】
【特許文献】
【０００４】
【特許文献１】特開平１０−２２２０７１号公報
【発明の概要】
【発明が解決しようとする課題】
【０００５】
本発明は以上のような諸問題にかんがみなされたもので、各種方式のプリンターに装填して移送可能であるとともに、必要な情報を印字して必要な被貼付け体に貼り付けることができるプリンター用脆質ラベルを提供することを課題とする。
【０００６】
また本発明は、貼り替え防止機能ないしセキュリティ保全機能を確保するとともに、各種のプリンターに装填して移送し、その表面に必要に応じて任意かつ各種情報の印字が可能であるプリンター用脆質ラベルを提供することを課題とする。
【０００７】
また本発明は、とくに貼り替え防止機能が高い脆質ラベルをプリンター用基材として用いることができるようにしたプリンター用脆質ラベルを提供することを課題とする。
【課題を解決するための手段】
【０００８】
すなわち本発明は、脆質材料層によるラベル本体の表面側に印字可能な材料をラミネートすることに着目したもので、第一の発明は、脆質材料層と、この脆質材料層を被貼付け体に貼り付け可能とする粘着剤層と、を有するプリンター用脆質ラベルであって、上記脆質材料層の上層側に積層する接着剤層と、この接着剤層の上層側に積層する印字可能層と、を有するとともに、上記脆質材料層および上記粘着剤層には、カットを形成していることを特徴とするプリンター用脆質ラベルである。
【０００９】
上記カットは、下層側貼り替え防止用カットとすることができる。
【００１０】
上記印字可能層および上記接着剤層には、上層側貼り替え防止用カットを形成していることができる。
【００１１】
上記下層側貼り替え防止用カットは、上記脆質材料層および上記粘着剤層の周縁部以外にこれを形成していることができる。
【００１２】
上記下層側貼り替え防止用カットは、上記脆質材料層および上記粘着剤層の周縁部にこれを形成していることができる。
【００１３】
上記上層側貼り替え防止用カットは、上記印字可能層および上記接着剤層の周縁部にこれを形成していることができる。
【００１４】
上記接着剤層の接着力は、上記粘着剤層の粘着力よりこれを大きくしてあることができる。
【００１５】
上記印字可能層は、感熱発色剤層を有することができる。
【００１６】
第二の発明は、脆質材料層と、この脆質材料層を被貼付け体に貼り付け可能とする粘着剤層と、を有するプリンター用脆質ラベルであって、上記脆質材料層の上層側に積層する接着剤層と、この接着剤層の上層側に積層する印字可能層と、を有するとともに、上記脆質材料層と上記接着剤層との間の一部の領域に接着剤不活性化層を積層していることを特徴とするプリンター用脆質ラベルである。
【００１７】
上記接着剤不活性化層の周縁部における上記脆質材料層および上記粘着剤層に不活性化層周縁部カットを形成していることができる。
【００１８】
なお、上記粘着剤層に仮着する台紙（剥離紙）を設けることができる。
【発明の効果】
【００１９】
本発明によるプリンター用脆質ラベルにおいては、脆質材料層の上層側に積層する接着剤層と、この接着剤層の上層側に積層する印字可能層と、を設けているので、ラベル本体としての脆質材料層自体が脆くて破けやすく、不正貼り替え防止機能を保有したままで、プリンターによる印字を行うことができ、この種脆質ラベルをプリンターに装填して各種用途に活用することができる。
【００２０】
とくに第一の発明のプリンター用脆質ラベルによれば、脆質材料層および粘着剤層に下層側貼り替え防止用カットを形成したので、脆いラベル本体自体に加えて貼り替え防止用カットによりさらに貼り替え防止機能を向上させることができる。
【００２１】
とくに第二の発明のプリンター用脆質ラベルによれば、脆質材料層と接着剤層との間の一部の領域に接着剤不活性化層を積層したので、接着剤層およびその上層側の印字可能層をはがそうとしたときに、この接着剤不活性化層の部分で接着剤の一部領域が不活性化しており、この境界部分ではがれるとともに、接着剤不活性化層以下の脆質材料層および粘着剤層が被貼付け体に残存することになり、貼り替え防止機能を発揮することができる。
【図面の簡単な説明】
【００２２】
【図１】本発明の第１の実施例によるプリンター用脆質ラベル１０をラベル連続体として構成した場合の平面図である。
【図２】同、図１のＩＩ−ＩＩ線拡大断面図である。
【図３】同、プリンター用脆質ラベル１０を装填し、移送して印字を行うための任意の方式のプリンター（たとえば熱転写プリンター１７）の概略側面図である。
【図４】同、ラベル片１０Ａを被貼付け体Ｍに貼り付けた状態を示す図２と同様の拡大断面図である。
【図５】本発明の第２の実施例によるプリンター用脆質ラベル３０をラベル連続体として構成した場合の平面図である。
【図６】同、図５のＶＩ−ＶＩ線拡大断面図である。
【図７】同、ラベル片３０Ａを被貼付け体Ｍに貼り付けた状態を示す図６と同様の拡大断面図である。
【図８】本発明の第３の実施例によるプリンター用脆質ラベル４０をラベル連続体として構成した場合の平面図である。
【図９】同、図８のＩＸ−ＩＸ線拡大断面図である。
【図１０】同、プリンター用脆質ラベル４０を装填し、移送して印字を行うための熱発色方式のサーマルプリンター４６の概略側面図である。
【図１１】本発明の第４の実施例によるプリンター用脆質ラベル５０をラベル連続体として構成した場合の平面図である。
【図１２】同、図１１のＸＩＩ−ＸＩＩ線拡大断面図である。
【図１３】同、ラベル片５０Ａを被貼付け体Ｍに貼り付け、さらにラベル片５０Ａを被貼付け体Ｍからはがしたときの状態を示す図１２と同様の拡大断面図である。
【図１４】従来の不正貼り替え防止用ラベル１の平面図である。
【図１５】図１４のＸＶ−ＸＶ線断面図である。
【図１６】従来の貼り替え防止用の脆質ラベル５の平面図である。
【図１７】図１６のＸＶＩＩ−ＸＶＩＩ線断面図である。
【発明を実施するための形態】
【００２３】
本発明は、脆質材料層の上層側に印字可能層を設けているので、不正貼り替え防止機能を保有したままで、この種脆質ラベルをプリンターに装填して印字を行い各種の表示用途に活用することができるプリンター用脆質ラベルを実現した。
【実施例】
【００２４】
つぎに本発明の第１の実施例によるプリンター用脆質ラベル１０を図１ないし図４にもとづき説明する。ただし、図１４ないし図１７と同様の部分には同一符号を付し、その詳述はこれを省略する。
図１は、プリンター用脆質ラベル１０をラベル連続体として構成した場合の平面図、図２は、図１のＩＩ−ＩＩ線拡大断面図である。
プリンター用脆質ラベル１０は、帯状の台紙１１と、脆質材料層１２と、この脆質材料層１２を被貼付け体Ｍに貼り付け可能とする粘着剤層１３と、脆質材料層１２の上層側に積層する接着剤層１４と、この接着剤層１４の上層側に積層する印字可能層１５と、を有する。
【００２５】
台紙１１は、剥離剤層（図示せず）をその表面に塗布してあって、粘着剤層１３の下層側にこれを仮着してある。
【００２６】
脆質材料層１２および粘着剤層１３には、これらを貫通して任意の形状（図示の例では×印）の下層側貼り替え防止用カット１６を形成している。
なお、下層側貼り替え防止用カット１６は、脆質材料層１２および粘着剤層１３の周縁部以外、たとえば、プリンター用脆質ラベル１０の中央部にこれを形成している。
もちろん、下層側貼り替え防止用カット１６は、脆質材料層１２および粘着剤層１３の周縁部にこれを形成することもできる。
【００２７】
脆質材料層１２は、たとえば塩化ビニルその他任意の合成樹脂材料から、厚さ５０〜１００μｍ程度、たとえば５０μｍ程度に形成している。
粘着剤層１３は、その厚さをたとえば２０〜２５μｍ程度に形成している。
接着剤層１４は、その厚さをたとえば１０〜２０μｍ程度に形成している。
印字可能層１５は、たとえば上質紙、合成紙あるいはポリエチレンテレフタレート（ＰＥＴ）などその他任意の印字可能な材料から、合成紙なら厚さ６０〜１００μｍ程度、ＰＥＴなら厚さ１６〜１００μｍ程度に形成している。
【００２８】
なお、接着剤層１４の接着力は、粘着剤層１３の粘着力よりこれを大きくしてある。
【００２９】
図３は、プリンター用脆質ラベル１０を装填し、移送して印字を行うための任意の方式のプリンター（たとえば熱転写プリンター１７）の概略側面図であって、熱転写プリンター１７は、ラベル供給部１８と、ラベル印字部１９と、を有する。
【００３０】
ラベル供給部１８は、プリンター用脆質ラベル１０をロール状に保持するとともに、プリンター用脆質ラベル１０をラベル印字部１９方向に帯状に繰り出し可能となっている。
【００３１】
ラベル印字部１９は、サーマルヘッド２０およびプラテンローラー２１と、熱転写リボン２２のリボン供給部２３およびリボン巻取り部２４と、を有する。
【００３２】
こうした構成のプリンター用脆質ラベル１０を熱転写プリンター１７に装填しても、印字可能層１５の剛性および印字可能性により、ラベル印字部１９の部分において、使用形態ないし使用状況に応じて必要な情報（とくに可変情報）を印字可能である。
ラベル片１０Ａは、熱転写プリンター１７において所定の印字情報２５を印字可能層１５に印字し、台紙１１から剥離した状態の構成であって、このラベル片１０Ａを被貼付け体Ｍに貼り付ける。
図４は、ラベル片１０Ａを被貼付け体Ｍに貼り付けた状態を示す図２と同様の拡大断面図であって、印字可能層１５には印字情報２５が表示されている。
【００３３】
この貼付け状態で、故意に（不正に）あるいは誤って、ラベル片１０Ａを被貼付け体Ｍからはがそうとすると、脆質材料層１２自体が脆いことに加えて、脆質材料層１２および粘着剤層１３の下層側貼り替え防止用カット１６の部分から容易に破けてしまうため、ラベル片１０Ａがはがされた、あるいははがされそうになったことが判明するとともに、印字可能層１５は破けないままであっても、もとの貼付け状態を再現することが事実上不可能となり、不正貼り替え防止機能ないしセキュリティ機能を発揮することができる。
なお、下層側貼り替え防止用カット１６自体は、表面の印字可能層１５が透明であっても、印字可能層１５側から視認することが事実上不可能であり、不正貼り替えを行おうとする者にその存在を容易に気づかれることがない。
【００３４】
図５は、本発明の第２の実施例によるプリンター用脆質ラベル３０をラベル連続体として構成した場合の平面図、図６は、図５のＶＩ−ＶＩ線拡大断面図である。
プリンター用脆質ラベル３０は、プリンター用脆質ラベル１０（図１）と同様に、台紙１１、脆質材料層１２、粘着剤層１３、接着剤層１４および印字可能層１５を有するとともに、印字可能層１５から粘着剤層１３までの全層に貫いて不正貼り替え防止用カット３１を形成している。
ただし、この不正貼り替え防止用カット３１は、最上層の印字可能層１５にも現れるので、印字可能層１５の周縁部に限定してこれを形成し、中央部分における印字領域を確保可能として、印字情報２５と重なり合わないようにし、印字品質を保持可能としている。
【００３５】
なお、印字可能層１５および接着剤層１４のみに上層側貼り替え防止用カット３１Ａ（図中、仮想線を参照）を形成することもでき、この上層側貼り替え防止用カット３１Ａは、少なくとも印字可能層１５および接着剤層１４の周縁部にこれを形成することが望ましい。
【００３６】
こうした構成のプリンター用脆質ラベル３０を、前記熱転写プリンター１７（図３）に装填し、ラベル印字部１９の部分において必要な情報を印字可能である。
ラベル片３０Ａは、熱転写プリンター１７において所定の印字情報２５を印字可能層１５に印字し、台紙１１から剥離した状態の構成であって、このラベル片３０Ａを被貼付け体Ｍに貼り付ける。
図７は、ラベル片３０Ａを被貼付け体Ｍに貼り付けた状態を示す図６と同様の拡大断面図であって、印字可能層１５には印字情報２５が表示されている。
【００３７】
この貼付け状態で、ラベル片３０Ａを被貼付け体Ｍからはがそうとすると、脆質材料層１２自体が脆いことに加えて、印字可能層１５および接着剤層１４、さらには脆質材料層１２および粘着剤層１３の不正貼り替え防止用カット３１の部分のいずれかから容易に破け、もとの貼付け状態を再現することが事実上不可能となり、不正貼り替え防止機能ないしセキュリティ機能を発揮することができる。
なお、上層側貼り替え防止用カット３１Ａを印字可能層１５および接着剤層１４のみに形成した構成であっても、印字可能層１５および接着剤層１４はこの上層側貼り替え防止用カット３１Ａから破れやすく、脆質材料層１２および粘着剤層１３は脆質材料層１２自体が脆いので同じく容易に破れやすいとともに、脆質材料層１２および粘着剤層１３が上層側貼り替え防止用カット３１Ａと同一部位から破けるわけではなく、もとの貼付け状態を再現することがさらに困難である。
【００３８】
図８は、本発明の第３の実施例によるプリンター用脆質ラベル４０をラベル連続体として構成した場合の平面図、図９は、図８のＩＸ−ＩＸ線拡大断面図である。
プリンター用脆質ラベル４０は、プリンター用脆質ラベル１０（図１）およびプリンター用脆質ラベル３０（図５）とは異なって、台紙１１を持たない台紙なしラベルとして構成してあるもので、脆質材料層１２と、粘着剤層１３と、接着剤層１４と、印字可能層４１を有するとともに、単葉のプリンター用脆質ラベル４０Ａを切断予定線４２（仮想線）の部分で連続して構成している。
【００３９】
脆質材料層１２および粘着剤層１３には、前記プリンター用脆質ラベル１０（図１）と同様に、これらを貫通して前記下層側貼り替え防止用カット１６（図２）を形成している。
【００４０】
上記印字可能層４１は、その可能層基材４３の上層に感熱発色剤層４４および剥離剤層４５を有する。したがって、プリンター用脆質ラベル４０をロール状に巻いた状態であっても、ロールの内層側において粘着剤層１３が剥離剤層４５に貼り付いてしまうことはなく、プリンター用脆質ラベル４０をロール状から帯状に繰り出すことができる。
【００４１】
図１０は、プリンター用脆質ラベル４０を装填し、移送して印字を行うための熱発色方式のサーマルプリンター４６の概略側面図であって、サーマルプリンター４６は、前記熱転写プリンター１７（図３）と同様に、ラベル供給部１８と、ラベル印字部１９と、を有するが、ラベル印字部１９は、サーマルヘッド２０およびプラテンローラー２１のみを備えており、熱転写リボン２２およびそのリボン供給部２３およびリボン巻取り部２４を備える必要がない。ただし、プラテンローラー２１には、粘着剤層１３が貼り付くことがない剥離性材料を採用するか、剥離剤層を形成しておく必要がある。
さらに、ラベル印字部１９の下流側にラベル切断部４７を設けておき、上記切断予定線４２の部分で切断することにより、単葉のプリンター用脆質ラベル４０Ａを発行することができる。あるいは切断予定線４２に相当する部分にミシン目（図示せず）などを形成しておくことにより、引きちぎり可能とすることもできる。
【００４２】
こうした構成のプリンター用脆質ラベル４０をサーマルプリンター４６に装填しても、印字可能層４１の剛性および印字可能性により、ラベル印字部１９の部分において必要な情報を印字可能である。
単葉のプリンター用脆質ラベル４０Ａは、サーマルプリンター４６において所定の印字情報４８（図９の仮想線）を印字可能層４１に発色印字し、そのままこれを被貼付け体Ｍに貼り付けることができる。
【００４３】
この貼付け状態で、故意に（不正に）あるいは誤って、単葉のプリンター用脆質ラベル４０Ａを被貼付け体Ｍからはがそうとすると、脆質材料層１２自体が脆いことに加えて、脆質材料層１２および粘着剤層１３の下層側貼り替え防止用カット１６の部分から容易に破けてしまうため、印字可能層４１は破けないままであっても、もとの貼付け状態を再現することが事実上不可能となり、不正貼り替え防止機能ないしセキュリティ機能を発揮することができる。
【００４４】
図１１は、本発明の第４の実施例によるプリンター用脆質ラベル５０をラベル連続体として構成した場合の平面図、図１２は、図１１のＸＩＩ−ＸＩＩ線拡大断面図である。
プリンター用脆質ラベル５０は、プリンター用脆質ラベル１０（図１）およびプリンター用脆質ラベル３０（図５）と同様に、台紙１１、脆質材料層１２、粘着剤層１３、接着剤層１４および印字可能層１５を有するとともに、脆質材料層１２と接着剤層１４との間の一部の領域（図示の例では中央部分の領域）に接着剤不活性化層５１を積層している。
接着剤不活性化層５１は、接着剤層１４の接着剤を不活性化可能な任意の印刷用インキその他の塗布材料などを印刷塗布するもので、たとえば厚さ３〜７μｍ程度、たとえば５μｍ程度に形成している。
【００４５】
こうした構成のプリンター用脆質ラベル５０を、熱転写プリンター１７に装填しても、印字可能層１５の剛性および印字可能性により、ラベル印字部１９の部分において必要な情報を印字可能である。
ラベル片５０Ａは、熱転写プリンター１７において所定の印字情報２５を印字可能層１５に印字し、台紙１１から剥離した状態の構成であって、このラベル片５０Ａを被貼付け体Ｍに貼り付ける。
図１３は、ラベル片５０Ａを被貼付け体Ｍに貼り付け、さらにラベル片５０Ａを被貼付け体Ｍからはがしたときの状態を示す図１２と同様の拡大断面図であって、印字可能層１５には印字情報２５が表示されている。
【００４６】
この貼付け状態で、ラベル片５０Ａを被貼付け体Ｍからはがそうとすると、脆質材料層１２と接着剤層１４との間に接着剤不活性化層５１が積層されているとともに脆質材料層１２自体が脆いために、図１３に示すように、接着剤不活性化層５１以外の領域部分に対応するラベル片５０Ａが被貼付け体Ｍから分離した状態で、はがされることになる。
すなわち、接着剤不活性化層５１の下層側に積層している脆質材料層１２の部分から容易に破け、接着剤不活性化層５１から下層側の積層体５１Ａのみが被貼付け体Ｍに貼り残され、もとの貼付け状態を再現することが事実上不可能となり、不正貼り替え防止機能ないしセキュリティ機能を発揮することができる。
【００４７】
なお図示は省略するが、接着剤不活性化層５１の周縁部をめぐって脆質材料層１２および粘着剤層１３に不活性化層周縁部カットを形成しておき、上述のような分離構成を実現しやすくすることもできる。
【符号の説明】
【００４８】
１  不正貼り替え防止用ラベル（従来、図１４）
２  ラベル本体
３  粘着剤層
４  不正貼り替え防止用カット
５  脆質ラベル（従来、図１６）
６  ラベル本体
１０  プリンター用脆質ラベル（第１の実施例、図１）
１０Ａ  プリンター用脆質ラベル１０のラベル片
１１  台紙
１２  脆質材料層
１３  粘着剤層
１４  接着剤層
１５  印字可能層
１６  下層側貼り替え防止用カット
１７  熱転写プリンター（図３）
１８  ラベル供給部
１９  ラベル印字部
２０  サーマルヘッド
２１  プラテンローラー
２２  熱転写リボン
２３  リボン供給部
２４  リボン巻取り部
２５  印字情報
３０  プリンター用脆質ラベル（第２の実施例、図５）
３１  不正貼り替え防止用カット
３１Ａ  不正貼り替え防止用カット３１の上層側貼り替え防止用カット
４０  プリンター用脆質ラベル（第３の実施例、図８）
４０Ａ  単葉のプリンター用脆質ラベル
４１  印字可能層
４２  切断予定線
４３  印字可能層４１の可能層基材
４４  感熱発色剤層
４５  剥離剤層
４６  熱発色方式のサーマルプリンター（図１０）
４７  ラベル切断部
４８  印字情報
５０  プリンター用脆質ラベル（第４の実施例、図１１）
５０Ａ  プリンター用脆質ラベル５０のラベル片
５１  接着剤不活性化層
５１Ａ  接着剤不活性化層５１から下層側の積層体（図１３）
Ｍ    被貼付け体
【図１】
0005791888.tif 000002
【図２】
0005791888.tif 000003
【図３】
0005791888.tif 000004
【図４】
0005791888.tif 000005
【図５】
0005791888.tif 000006
【図６】
0005791888.tif 000007
【図７】
0005791888.tif 000008
【図８】
0005791888.tif 000009
【図９】
0005791888.tif 000010
【図１０】
0005791888.tif 000011
【図１１】
0005791888.tif 000012
【図１２】
0005791888.tif 000013
【図１３】
0005791888.tif 000014
【図１４】
0005791888.tif 000015
【図１５】
0005791888.tif 000016
【図１６】
0005791888.tif 000017
【図１７】
0005791888.tif 000018